(57)【特許請求の範囲】
【請求項１】
マッサージ装置の装置本体に設けられるものであり、この装置本体に対して回転可能な状態で取り付けられる第１枠と、この第１枠に対して回転可能な状態で取り付けられる第２枠と、この第２枠に対して回転可能な状態で取り付けられるマッサージ部とを含むオットマンにおいて、
前記第１枠と前記第２枠とが折り畳まれた状態を閉状態とし、前記第１枠と前記第２枠とが最も開いた状態を開状態として、前記閉状態において前記第１枠に対し前記第２枠が開く側を前方側とし、前記第１枠に対し前方側と反対側を後方側とし、前記マッサージ部においてマッサージ機能が設けられた面をマッサージ面として、
前記第１枠と前記第２枠との位置関係を前記閉状態としかつ前記マッサージ面を後方側に配置した第１使用形態と、前記第１枠と前記第２枠との位置関係を前記閉状態としかつ前記マッサージ面を前方側に配置した第２使用形態と、前記第１枠と前記第２枠との位置関係を前記開状態とした第３使用形態とを有し、
前記閉状態に維持した状態で、前記第１使用形態から前記第２使用形態への変更および前記第２使用形態から前記第１使用形態への変更ができるように前記マッサージ部が設けられており、
前記第１枠と前記第２枠との関係が前記閉状態以外のときには、常に前記閉状態となるように前記第２枠に力を付与するフレーム回転装置が設けられている
ことを特徴とするオットマン。
【請求項２】
請求項１に記載のオットマンにおいて、
前記第１使用形態および前記第２使用形態のときに前記第２枠に対して前記マッサージ部の回転を規制する規制装置が設けられている
ことを特徴とするオットマン。
【請求項３】
請求項１または２に記載のオットマンにおいて、
前記マッサージ面を前記第２枠に対して後方側に配置した状態を第１回転状態とし、前記マッサージ面を前記第２枠に対して前方側に配置した状態を第２回転状態として、
前記第２枠に対する前記マッサージ部の回転位置を前記第１回転状態での位置と前記第２回転状態での位置との間の特定回転位置に固定する角度固定装置が設けられている
ことを特徴とするオットマン。
【請求項４】
請求項１〜３のいずれか一項に記載のオットマンにおいて、
前記第１枠に対する前記第２枠の回転位置を前記閉状態での位置と前記開状態での位置との間の所定回転位置に固定する角度維持装置が設けられている
ことを特徴とするオットマン。
【請求項５】
請求項１〜４のいずれか一項に記載のオットマンを備えるマッサージ装置。
【発明の詳細な説明】
【技術分野】
【０００１】
本発明は、マッサージ装置の装置本体に設けられるものであり、この装置本体に対して回転可能な状態で取り付けられる第１枠と、この第１枠に対して回転可能な状態で取り付けられる第２枠と、この第２枠に対して回転可能な状態で取り付けられるマッサージ部とを含むオットマンおよびマッサージ装置に関する。
【背景技術】
【０００２】
使用者の脚をマッサージするマッサージ装置が知られている（例えば、特許文献１〜６）。特許文献１に記載のマッサージ装置は、脚をマッサージするマッサージ機能を有する。特許文献２〜４に記載のマッサージ装置は、脚用のマッサージ部が回転する機構を備えている。特許文献５のマッサージ装置は、脚をマッサージする第１マッサージ部と、足裏をマッサージする第２マッサージ部とを有する。
【０００３】
特許文献６のマッサージ装置は、１つのマッサージ部を脚部に対応する位置と足裏に対応する位置とに移動することにより、脚と足裏をマッサージする。具体的には、マッサージ装置は、マッサージ装置本体に対して回転する第１フレームと、この第１フレームに対して回転する第２フレームと、この第２フレームに対して回転するマッサージ部とを含む。
【先行技術文献】
【特許文献】
【０００４】
【特許文献１】特開２００９−０９５４２８号公報
【特許文献２】特開２００５−２３７４８５号公報
【特許文献３】特開２０００−３０８６６３号公報
【特許文献４】特開２００７−０６８６６３号公報
【特許文献５】特開２００６−００６５７８号公報
【特許文献６】特開２００３−０６２０２４号公報
【発明の概要】
【発明が解決しようとする課題】
【０００５】
ところで、特許文献６のマッサージ装置には、マッサージ部を反転させる機能が設けられている。脚をマッサージするときには、マッサージ部のマッサージ機能を有する面を前方に出す。足置き台として使用するときには、マッサージ部を反転して、足置き台を前方に出す。しかし、マッサージ部を反転するとき、第２フレームとマッサージ部とを固定して両者を同時に回転する必要がある。このため、マッサージ部の使用形態を変更する操作が面倒なものとなっている。
【０００６】
本発明はこのような実情に鑑みてなされたものであり、その目的は、マッサージ部の使用形態の変更を容易に行うことのできるオットマンおよびマッサージ装置を提供することにある。
【課題を解決するための手段】
【０００７】
以下、上記目的を達成するための手段について記載する。
・本発明のオットマンは、マッサージ装置の装置本体に設けられるものであり、この装置本体に対して回転可能な状態で取り付けられる第１枠と、この第１枠に対して回転可能な状態で取り付けられる第２枠と、この第２枠に対して回転可能な状態で取り付けられるマッサージ部とを含むオットマンにおいて、前記第１枠と前記第２枠とが折り畳まれた状態を閉状態とし、前記第１枠と前記第２枠とが最も開いた状態を開状態として、前記閉状態において前記第１枠に対し前記第２枠が開く側を前方側とし、前記第１枠に対し前方側と反対側を後方側とし、前記マッサージ部においてマッサージ機能が設けられた面をマッサージ面として、前記第１枠と前記第２枠との位置関係を前記閉状態としかつ前記マッサージ面を後方側に配置した第１使用形態と、前記第１枠と前記第２枠との位置関係を前記閉状態としかつ前記マッサージ面を前方側に配置した第２使用形態と、前記第１枠と前記第２枠との位置関係を前記開状態とした第３使用形態とを有し、前記閉状態に維持した状態で、前記第１使用形態から前記第２使用形態への変更および前記第２使用形態から前記第１使用形態への変更ができるように前記マッサージ部が設けられており、前記第１枠と前記第２枠との関係が前記閉状態以外のときには、常に前記閉状態となるように前記第２枠に力を付与するフレーム回転装置が設けられていることを特徴とする。
【０００８】
・このオットマンにおいては、前記第１使用形態および前記第２使用形態のときに前記第２枠に対して前記マッサージ部の回転を規制する規制装置が設けられていることが好ましい。
【００１０】
・このオットマンにおいては、前記マッサージ面を前記第２枠に対して後方側に配置した状態を第１回転状態とし、前記マッサージ面を前記第２枠に対して前方側に配置した状態を第２回転状態として、前記第２枠に対する前記マッサージ部の回転位置を前記第１回転状態での位置と前記第２回転状態での位置との間の特定回転位置に固定する角度固定装置が設けられることが好ましい。
【００１１】
・このオットマンにおいては、前記第１枠に対する前記第２枠の回転位置を前記閉状態での位置と前記開状態での位置との間の所定回転位置に固定する角度維持装置が設けられることが好ましい。
【００１２】
・本発明は、マッサージ装置は、上記オットマンを備えることを特徴とする。
【発明の効果】
【００１３】
本発明によれば、マッサージ部の使用形態の変更を容易に行うことのできるオットマンおよびマッサージ装置を提供することができる。
【図面の簡単な説明】
【００１４】
【図１】本発明の第１実施形態のマッサージ装置について、斜視構造を示す斜視図。
【図２】同実施形態のオットマンについて、その斜視構造を示す斜視図。
【図３】同実施形態のオットマンについて、その内部構造を示す斜視図。
【図４】同実施形態のオットマンの第１フレームについて、斜視構造を示す斜視図。
【図５】同実施形態のオットマンの第２フレームについて、斜視構造を示す斜視図。
【図６】同実施形態のオットマンのマッサージ部について、斜視構造を示す斜視図。
【図７】同実施形態のマッサージ装置について、第１使用形態にあるときのマッサージ部の斜視構造を示す斜視図。
【図８】同実施形態のマッサージ装置について、第２使用形態にあるときのマッサージ部の斜視構造を示す斜視図。
【図９】同実施形態のマッサージ装置について、第３使用形態にあるときのマッサージ部の斜視構造を示す斜視図。
【図１０】同実施形態のマッサージ装置について、第１使用形態のときのマッサージ部の回転状態を示す側面図。
【図１１】本発明の第２実施形態のマッサージ装置について、マッサージ部の側面構造を示す側面図。
【図１２】同実施形態のマッサージ装置について、マッサージ部の角度固定装置の平面構造を示す平面図。
【図１３】本発明の第３実施形態のマッサージ装置について、そのマッサージ部の回転動作を示す斜視図。
【発明を実施するための形態】
【００１５】
（第１実施形態）
図１〜図１０を参照して、本発明の第１実施形態について説明する。
図１に示すように、マッサージ装置１は、椅子型の装置本体１０と、脚をマッサージするオットマン２０とを含む。装置本体１０は、使用者が座るための座部１１と、背をもたれさせるための背もたれ１２と、肘をおくための肘掛１３とを含む。座部１１は、装置本体１０の上部に設けられている。背もたれ１２は、座部１１の上部に設けられて前後方向に回転する。肘掛１３は座部１１の両端に設けられている。オットマン２０は、装置本体１０の前方に配置されている。
【００１６】
図２を参照して、オットマン２０の構造について説明する。図２は、シートカバーを取り外した状態のオットマン２０を示している。
オットマン２０は、装置本体１０に設けられている第１フレーム３０と、第１フレーム３０に設けられている第２フレーム４０と、第２フレーム４０に設けられているマッサージ部６０とを含む。なお、第１フレーム３０は第１枠に相当し、第２フレーム４０は第２枠に相当する。
【００１７】
第１フレーム３０は、第１回転軸Ｃ１を中心軸として回転できるように、装置本体１０の第１回転軸Ｃ１に設けられている。以下では、第１フレーム３０が装置本体１０の中心軸に対して平行となっている状態を「垂直状態」とする。第１フレーム３０が垂直状態から略９０°回転した状態を「水平状態」とする。第１フレーム３０の回転可能な範囲は垂直状態から水平状態までの範囲である。
【００１８】
第２フレーム４０は、第２回転軸Ｃ２を中心軸として回転できるように、第１フレーム３０の第２回転軸Ｃ２に設けられている。以下では、第１フレーム３０に対して第２フレーム４０を開く方向に回転し、第１フレーム３０に対する第２フレーム４０の角度を最も大きくした状態を「開状態」とする。例えば、開状態のとき、第１フレーム３０と第２フレーム４０との間の角度は９０°とされる。第１フレーム３０に対して第２フレーム４０を折り畳んで第１フレーム３０に対する第２フレーム４０の角度を最も小さくした状態（図７および図８参照）を「閉状態」とする。例えば、閉状態のとき、第１フレーム３０と第２フレーム４０との間の角度は０°とされる。第２フレーム４０は、閉状態から開状態までの範囲内で回転する。
【００１９】
第２フレーム４０において第１フレーム３０に対向する一面を上面３０Ａとし、この上面３０Ａから下面３０Ｂに向う方向を前方向とする。前方向の反対方向を「後方向」とする。第２フレーム４０の短手方向を「縦幅方向」とする。
【００２０】
マッサージ部６０は、第３回転軸Ｃ３を中心軸として回転できるように第２フレーム４０の第３回転軸Ｃ３に設けられている。図２の矢印Ａ方向からみて、右回りを「正回転方向ＲＡ」とし、左回りを「逆回転方向ＲＢ」とする。マッサージ部６０は、第２フレーム４０に対して正回転方向ＲＡに１８０°回転し、逆回転方向ＲＢに１８０°回転する。
【００２１】
マッサージ部６０のマッサージ機能が設けられている一面６０Ｅ（以下、マッサージ面６０Ｅ）から底面６０Ｄに向う方向を「前方向」とする。「前方向」の反対方向を「後方向」とする。マッサージ部６０の短手方向を「縦幅方向」とする。
【００２２】
第２フレーム４０とマッサージ部６０との関係において、第２フレーム４０の縦幅方向とマッサージ部６０の縦幅方向とが一致し、かつ第２フレーム４０の前方向とマッサージ部６０の前方向とが一致する状態を「第１回転状態」とする（図３および図７参照）。第２フレーム４０の縦幅方向と、マッサージ部６０の縦幅方向とが一致し、かつ第２フレーム４０の前方向とマッサージ部６０の後方向とが一致する状態を「第２回転状態」とする（図８参照）。すなわち、第１回転状態にあるときからマッサージ部６０が逆回転方向ＲＢに１８０°回転したとき第２回転状態となり、第２回転状態にあるときからマッサージ部６０が正回転方向ＲＡに１８０°回転したとき第１回転状態となる。
【００２３】
図３〜図６を参照して、オットマン２０の内部構造について説明する。
図３および図４に示すように、第１フレーム３０は、第２フレーム４０を支持するための第１支持アーム３１および第２支持アーム３２と、第１支持アーム３１と第２支持アーム３２とを連結する支持パイプ３５とを含む。第１支持アーム３１は、第１アームカバー３３（図２参照）により覆われ、第２支持アーム３２は第２アームカバー３４により覆われている。
【００２４】
第１フレーム３０には、第２フレーム４０を第１フレーム３０に向けて力を付与するフレーム回転装置３６が設けられている。フレーム回転装置３６は、第１フレーム３０と第２フレーム４０との間の角度が０°よりも大きいとき、この角度を小さくする方向に第１フレーム３０と第２フレーム４０とに力を加える。
【００２５】
図４に示すように、第１支持アーム３１は、第１回転軸Ｃ１が通るアーム軸部３１Ａと、第２回転軸Ｃ２が通るアーム先端部３１Ｃと、アーム軸部３１Ａとアーム先端部３１Ｃとを連結するアーム胴部３１Ｂとを含む。
【００２６】
アーム軸部３１Ａには、第１回転軸Ｃ１の軸芯である第１軸体３１Ｄが通る貫通孔３２Ａが設けられている。アーム先端部３１Ｃには、第２回転軸Ｃ２の軸芯である第２軸体４６が通る貫通孔３２Ｂが設けられている。また第２回転軸Ｃ２を中心軸とするフレーム回転装置３６が設けられている。
【００２７】
フレーム回転装置３６は、ねじりばねにより構成されている第１ばね３７と、第１ばね３７のばね一端部３７Ａが掛けられる第１掛部３８と、ばね他端部３７Ｂが掛けられる第２掛部３９（図５参照）とを含む。
【００２８】
第２支持アーム３２は第１支持アーム３１と同様の構造を有する。なお、図４の第２支持アーム３２において、第１支持アーム３１と共通する構成は同アーム３１の各構成と同じ符号を付している。
【００２９】
図３および図５を参照して第２フレーム４０について説明する。
第２フレーム４０は、マッサージ部６０を支持するための第１プレート４１および第２プレート４２と、第１プレート４１と第２プレート４２とを連結する補強パイプ４３とを含む。第１プレート４１は、第１プレートカバー４４（図２参照）により覆われている。第２プレート４２は、第２プレートカバー４５により覆われている。第２フレーム４０には、マッサージ部６０を第１回転状態および第２回転状態に維持する規制装置５０が設けられている。
【００３０】
図５に示すように、第１プレート４１は、第２回転軸Ｃ２および第３回転軸Ｃ３が通るプレート本体部４１Ａと、プレート本体部４１Ａから延長して設けられて補強パイプ４３が接続されるプレート延長部４１Ｂとを含む。
【００３１】
プレート本体部４１Ａの一端部には、第２回転軸Ｃ２の軸芯である第２軸体４６が通る第１貫通孔４７が設けられている。第１貫通孔４７から離れかつフレーム回転装置３６のばね他端部３７Ｂが届く範囲内に第２掛部３９が設けられている。プレート本体部４１Ａの中間部には、第３回転軸Ｃ３の軸芯である第３軸体６７（図６参照）が通る第２貫通孔４８が設けられている。
【００３２】
規制装置５０は、第３軸体６７に固定される回転体５１と、マッサージ部６０を正回転方向ＲＡおよび逆回転方向ＲＢに回転するように力を付与する第２ばね５７とを含む。また、規制装置５０は、第２ばね５７のばね一端部が掛けられる第１支持部５５と、ばね他端部が掛けられる第２支持部５６と、回転体５１の回転を規制する規制部５８とを含む。
【００３３】
第２ばね５７は、つるまきばねにより構成されている。第２ばね５７は、ばね長さが大きくなると復元力が発生する。
回転体５１は、第３軸体６７（図６参照）に締結される回転軸部５２と、回転軸部５２の外周に設けられているフランジ部５３と、フランジ部５３の略半周にわたって突出して設けられている延長部５４とを含む。延長部５４の一端部には、マッサージ部６０を正回転方向ＲＡに回転して第１回転状態としたとき、規制部５８に接触してマッサージ部６０の正回転方向ＲＡの回転を規制する第１接触部５４Ａが設けられている。延長部５４の他端部には、マッサージ部６０を逆回転方向ＲＢに回転して第２回転状態としたときに規制部５８に接触してマッサージ部６０の逆回転方向ＲＢへの回転を規制する第２接触部５４Ｂが設けられている。
【００３４】
第２支持部５６は、延長部５４において第１接触部５４Ａと第２接触部５４Ｂとの間に設けられている。規制部５８は、第１プレート４１の面と平行、かつ第１プレート４１の縦幅方向に沿う線であり、かつ第３回転軸Ｃ３に交叉する線上に設けられている。第１支持部５５は、プレート本体部４１Ａにおいて規制装置５０が設けられているところよりも外端４１Ｃ側に設けられている。
【００３５】
図３および図６を参照して、マッサージ部６０について説明する。
マッサージ部６０は、空気の出し入れにより拡張および収縮するエアバッグ６６と、エアバッグ６６を保持する本体部６１とを含む。
【００３６】
図６に示すように、本体部６１は、土台を形成するベース壁６２と、ベース壁６２の一端部に設けられた第１側壁６３と、ベース壁６２の他端部に設けられた第２側壁６４と、第１側壁６３と第２側壁６４との間に設けられた中間隔壁６５とを含む。第１側壁６３と中間隔壁６５との間の空間は一方の脚を入れるための第１空間ＳＡとされ、第２側壁６４と中間隔壁６５との間の空間は他方の脚を入れるための第２空間ＳＢとされる。
【００３７】
エアバッグ６６は、第１側壁６３の内面および第２側壁６４の内面および中間隔壁６５の両面に沿って設けられた側部エアバッグ６６Ａ（図３参照）と、ベース壁６２に沿って設けられた底部エアバッグ６６Ｂ（図３参照）とを含む。
【００３８】
第１側壁６３および第２側壁６４には第３軸体６７が設けられている。第３軸体６７は、第１側壁６３の縦幅方向における中間部分に設けられている。第３回転軸Ｃ３とマッサージ部６０の前面６０Ａとの距離と、第３回転軸Ｃ３と後面６０Ｂとの距離とは略同じとされている。
【００３９】
図７〜図９を参照して、マッサージ装置１のオットマン２０の使用形態について説明する。
マッサージ装置１は、第１フレーム３０および第２フレーム４０およびマッサージ部６０を回転することにより、３つの使用形態を選択することができる。例えば次のようにして使用される。
【００４０】
使用者がマッサージ装置１を使用しないとき、第１使用形態で、第１回転軸Ｃ１を中心軸として第１フレーム３０を回転して垂直状態とする。これより、マッサージ装置１の内側にマッサージ部６０を収容されるため、マッサージ装置１の占める空間が小さくなる。
【００４１】
使用者がマッサージ部６０を脚置き台として使用するとき、第１使用形態に変形し、第１フレーム３０に対する第２フレーム４０の回転位置を使用者の好みに調整する。この場合、マッサージ部６０の裏面が脚を置くところとして用いられる。
【００４２】
使用者がマッサージ装置１に座った状態で脚をマッサージするとき、第２使用形態に変形される。使用者は、第１空間ＳＡに一方の脚を入れ、第２空間ＳＢに他方の脚を入れて、両脚をマッサージする。
【００４３】
使用者がマッサージ装置１に座った状態で足裏をマッサージするとき、第３使用形態に変形される。使用者は、第１空間ＳＡに一方の足を入れ、第２空間ＳＢに他方の足を入れて、両足裏をマッサージする。
【００４４】
図７に示すように、第１使用形態は、第１回転軸Ｃ１を中心軸として第１フレーム３０が装置本体１０に対して使用者が設定する設定角度に維持され、第２フレーム４０が閉状態とされ、マッサージ部６０が第１回転状態にされた状態にある。
【００４５】
このとき、第１フレーム３０に対し第２フレーム４０が開く側（前方側）とは反対側（後方側）に向いてマッサージ面６０Ｅが配置される。また、マッサージ部６０の前面６０Ａと支持パイプ３５との間の間隔は第１設定間隔ＨＡとなる。なお、第１使用形態には、第２フレーム４０を閉状態としかつマッサージ部６０を第１回転状態とした状態で、第１回転軸Ｃ１を中心軸として第１フレーム３０を回転して特定角度に維持した全ての状態が含まれる。
【００４６】
図８に示すように、第２使用形態は、第１回転軸Ｃ１を中心軸として第１フレーム３０が装置本体１０に対して使用者が設定する設定角度に維持され、第２フレーム４０が閉状態とされ、マッサージ部６０が第２回転状態とされた状態にある。
【００４７】
このとき、第１フレーム３０に対し第２フレーム４０が開く側（前方側）にマッサージ面６０Ｅが配置される。また、マッサージ部６０の後面６０Ｂと支持パイプ３５との間の間隔は第２設定間隔ＨＢとなる。第３回転軸Ｃ３は、マッサージ部６０の縦幅方向において中間部分に設けられているため、第２設定間隔ＨＢと第１設定間隔ＨＡとは略同じ長さになる。なお、第２使用形態には、第２フレーム４０を閉状態としかつマッサージ部６０を第２回転状態とした状態で、第１回転軸Ｃ１を中心軸として第１フレーム３０を回転して特定角度に維持した全ての状態が含まれる。
【００４８】
図９に示すように、第３使用形態は、第１フレーム３０が垂直状態とされ、第２フレーム４０が開状態とされ、マッサージ部６０が第１回転状態とされた状態にある。第１使用形態から第３使用形態への形態変更またはこの反対の形態変更は、第１フレーム３０を垂直状態としかつマッサージ部６０を第１回転状態に維持した状態で、第２回転軸Ｃ２を中心軸として第２フレーム４０を回転することにより、行うことができる。
【００４９】
図９を参照して、フレーム回転装置３６の動作について説明する。
第２回転軸Ｃ２を支点としてばね一端部３７Ａとばね他端部３７Ｂとにより形成される角度を拡大するように力が作用するとき、フレーム回転装置３６の第１ばね３７には復元力が発生する。第１フレーム３０に対して第２フレーム４０を回転すると、ばね一端部３７Ａとばね他端部３７Ｂとの間の角度が拡大するため、第１フレーム３０と第２フレーム４０との間の角度を小さくする向きに力が発生する。したがって、ばね一端部３７Ａとばね他端部３７Ｂとの間の角度が大きくする力が解放されたとき、第２フレーム４０が逆回転方向ＲＢに回転して閉状態となる。
【００５０】
具体的には、使用者は、第２フレーム４０を水平状態にするとき、脚により第２フレーム４０を押さえ付けて同フレームを正回転方向ＲＡに回転する。第２フレーム４０を閉状態にするとき、使用者は、第２フレーム４０から脚を離す。第２フレーム４０は、第１ばね３７の力により逆回転方向ＲＢに回転して、閉状態となる。
【００５１】
図１０を参照して、規制装置５０の動作について説明する。
同図は、マッサージ装置１を第１使用形態から第２使用形態に変更をするときのマッサージ部６０の動作を示している。
【００５２】
図１０（Ａ）に示すように、マッサージ装置１が第１使用形態にあるとき、マッサージ部６０の底面６０Ｄと第１支持アーム３１の前面３１Ｅとが互いに平行となる。このとき、回転体５１の第１接触部５４Ａが規制部５８に接触するため、回転体５１の正回転方向ＲＡの回転が制限される。一方、第２ばね５７は、ばね一端部とばね他端部との間の距離を縮小する方向に力を生じさせて第２支持部５６を第１支持部５５に近づけるように回転体５１に力を加える。このため、マッサージ部６０は、正回転方向ＲＡに力が付与された状態、すなわちマッサージ部６０が逆回転方向ＲＢに回転しにくい状態で維持される。
【００５３】
図１０（Ｂ）に示すように、マッサージ装置１が第１使用形態から第２使用形態までの中間位置にあるとき、マッサージ部６０の底面６０Ｄと第１支持アーム３１の前面３１Ｅとが直角となる。このとき、回転体５１の第１接触部５４Ａが規制部５８から離れた位置にあり、回転体５１が正回転方向ＲＡおよび逆回転方向ＲＢに回転することが許容される。一方、第２ばね５７は、ばね一端部とばね他端部との距離を縮小する方向に力を生じさせているため、マッサージ部６０が中間位置から正回転方向ＲＡにずれた位置に回転したとき、マッサージ部６０を正回転方向ＲＡに回転させる。反対に、マッサージ部６０が中間位置から逆回転方向ＲＢにずれた位置に回転したとき、第２ばね５７はマッサージ部６０を逆回転方向ＲＢに回転させる。
【００５４】
図１０（Ｃ）に示すように、マッサージ装置１が第２使用形態にあるとき、マッサージ部６０の上面６０Ｃと第１支持アーム３１の前面３１Ｅとが互いに平行となる。このとき、回転体５１の第２接触部５４Ｂが規制部５８に接触するため、回転体５１の逆回転方向ＲＢの回転が制限される。一方、第２ばね５７は、ばね一端部とばね他端部との間の距離を縮小する方向に力を生じさせて第２支持部５６を第１支持部５５に近づけるように回転体５１に力を加える。このため、マッサージ部６０は、逆回転方向ＲＢに力が付与された状態、すなわちマッサージ部６０が正回転方向ＲＡに回転しにくい状態で維持される。
【００５５】
本実施形態のマッサージ装置１によれば、以下の効果を奏することができる。
（１）本実施形態では、第１フレームと第２フレームとの位置関係を閉状態としかつマッサージ面６０Ｅを後方側に配置した第１使用形態を有する。第１フレーム３０と第２フレーム４０との位置関係を閉状態としかつマッサージ面６０Ｅを前方側に配置した第２使用形態を有する。第１フレーム３０と第２フレーム４０との位置関係を開状態とした第３使用形態とを有する。そして、閉状態を維持した状態で、第１使用形態から第２使用形態への変更および第２使用形態から第１使用形態への変更ができるように、マッサージ部６０が設けられている。
【００５６】
この構成によれば、第１使用形態と第２使用形態との変更のときに、第１フレーム３０に対して第２フレーム４０を回転することを要しないため、第１使用形態と第２使用形態との間で容易に使用形態を変更することができる。
【００５７】
（２）本実施形態では、第１使用形態および第２使用形態のときに第２フレーム４０に対してマッサージ部６０の回転を規制する規制装置５０が設けられている。
脚をマッサージするときにマッサージ部６０が回転すると、マッサージ箇所が変わるため、安定したマッサージを行うことができなくなる。この点、上記構成によれば、第１使用形態および第２使用形態において規制装置５０によりマッサージ部６０が所定位置に維持されるため、マッサージ箇所の変動が抑制され、マッサージを安定して行うことができる。
【００５８】
（３）本実施形態では、第１フレーム３０と第２フレーム４０との関係が閉状態以外のときに閉状態になるように第２フレーム４０に力を付与するフレーム回転装置３６が設けられている。
【００５９】
この構成によれば、第１フレーム３０と第２フレーム４０とが閉状態以外のとき、第１フレーム３０および第２フレーム４０に加わる力に抗した力が解除されると、この力により、第１フレーム３０と第２フレーム４０とが閉状態になる。このため、第１フレーム３０と第２フレーム４０とを閉状態とする手間を省くことができる。
【００６０】
（４）本実施形態では、マッサージ装置１が３つの使用形態を有するため、使用者は、マッサージ部６０を、脚マッサージおよび脚裏マッサージおよび足置き台として用いることができる。
【００６１】
（５）本実施形態では、マッサージ部６０の裏面が平坦面になっているため、第１フレーム３０を垂直状態としかつ第２フレーム４０を閉状態としかつマッサージ部６０を第１回転状態とすることにより、外観上の見栄えをよくすることができる。
【００６２】
（６）本実施形態では、第１フレーム３０を垂直状態としかつ第２フレーム４０を閉状態としかつマッサージ部６０を第１回転状態としたとき、図１０（Ａ）のようにマッサージ部６０の底面６０Ｄと第１支持アーム３１の前面３１Ｅとが互いに平行となる。このため、外観上の見栄えをよくすることができる。
【００６３】
（７）本実施形態では、第１フレーム３０を垂直状態としかつ第２フレーム４０を閉状態としかつマッサージ部６０を第２回転状態としたとき、図１０（Ｃ）のようにマッサージ部６０の上面６０Ｃと第１支持アーム３１の前面３１Ｅとが互いに平行となる。このため、外観上の見栄えをよくすることができる。
【００６４】
（８）本実施形態では、第２フレーム４０と第１フレーム３０との間の角度が０°よりも大きいとき、閉状態となるように第２フレーム４０に力が付与されるため、足裏マッサージをするとき足に力が加えられることになる。したがって、このような力がない場合に比べて、足裏にマッサージの強い力を与えることができる。
【００６５】
ここで、仮にマッサージ装置１においてフレーム回転装置３６がないものを想定する。この場合、第２フレーム４０が第１フレーム３０に対して自由に回転する。このため、マッサージ装置１が第１使用形態または第２使用形態でマッサージ部６０を回転すると、この回転に伴って、第２フレーム４０が回転する。これに対して、フレーム回転装置３６により、第１フレーム３０と第２フレーム４０とが閉状態となるように第２フレーム４０に力が付与されている。これにより、マッサージ装置１が第１使用形態または第２使用形態のときにマッサージ部６０を回転しても、この回転に伴って第２フレーム４０の回転が抑制される。このため、マッサージ装置１の第１使用形態と第２使用形態との間で形態変更を容易に行うことができる。
【００６６】
（第２実施形態）
図１１および図１２を参照して、本発明の第２実施形態について説明する。
本実施形態のマッサージ装置１は、第１実施形態の規制装置５０に代えて、４つの異なる角度で維持する角度固定装置７０を備える。以下、この変更にともない生じる前記第１実施形態の構成からの詳細な変更について説明する。なお、第１実施形態と共通する構成については同一の符合を付してその説明を省略する。
【００６７】
図１１に示すように、角度固定装置７０は、マッサージ部６０に固定される回転体９０と、回転体９０の回転を特定回転位置で維持する回転体固定装置８０とを含む。
回転体固定装置８０は、回転体９０を規制する回転止バー８１と、回転止バー８１をガイドするガイドケース８２と、回転止バー８１の移動を規制する規制アーム８３と、規制アーム８３を操作する操作レバー８７とを含む。
【００６８】
図１２に示すように、回転止バー８１は、第２フレーム４０の縦幅方向に沿って移動するように設けられ、第３ばね８１Ｂにより回転体９０に向けて突き出るように構成されている。また、回転止バー８１の胴部には、規制アーム８３により押圧される押圧部８１Ａが設けられている。
【００６９】
規制アーム８３は、押圧部８１Ａを押す作用部８４と、規制アーム８３の支点となるアーム支点部８５と、操作レバー８７により操作される操作部８６と、規制アーム８３を一方方向に力を付与するアームばね８３Ａとを含む。アームばね８３Ａは、作用部８４が押圧部８１Ａから離れる方向（同図矢印Ｂ）に規制アーム８３に力を付与する。
【００７０】
操作レバー８７は、使用者に操作される部分である把持部８７Ａと、操作レバー８７の支点が設けられているレバー支点部８７Ｂと、操作部８６と接触するレバー接触部８７Ｃとを含む。
【００７１】
回転体９０は、第３軸体６７に結合される回転軸部９１（図１１参照）と、軸部の外周に設けられているフランジ部９２とを含む。フランジ部９２には、略半周にわたって略等間隔に４つの嵌合部９３が設けられている。嵌合部９３には回転止バー８１の先端が嵌り込む。これら嵌合部９３のうちの外側にある１つは、第２フレーム４０とマッサージ部６０との関係が第１回転状態となるとき、回転止バー８１が嵌合部９３に嵌る位置に設けられている。嵌合部９３のうち外側の他の１つは、第２フレーム４０とマッサージ部６０との関係が第２回転状態となるとき、回転止バー８１が嵌合部９３に嵌る位置に設けられている。
【００７２】
このような構成により、マッサージ部６０は、角度固定装置７０により、第１回転状態、第２回転状態、および第１回転状態から第２回転状態までの間にありマッサージ部６０と第２フレーム４０との間の２つの特定回転位置に維持される。
【００７３】
次に、角度固定装置７０の動作について説明する。
操作レバー８７を操作していないとき、操作レバー８７は所定の位置に維持される。規制アーム８３は、アームばね８３Ａにより、矢印Ｂの方向に移動した状態で維持されているため、作用部８４が押圧部８１Ａから離れるとともに、操作部８６がレバー接触部８７Ｃに接触する。回転止バー８１は、第３ばね８１Ｂにより、回転体９０側に押された状態で維持される。このとき、回転止バー８１が嵌合部９３に嵌合するため、マッサージ部６０が特定回転位置に維持される。
【００７４】
図１２に示すように、操作レバー８７を矢印Ｃ方向に操作するとき、レバー接触部８７Ｃが操作部８６を押すため、アームばね８３Ａの力に抗して、同力の方向と反対方向すなわち矢印Ｄ方向に規制アーム８３が回転する。このとき、規制アーム８３の作用部８４が押圧部８１Ａを押上げるため、回転止バー８１は回転体９０から離れる方向に移動する。これにより回転止バー８１の回転規制状態が解除される。マッサージ部６０を他の特定回転位置に変更するときは、マッサージ部６０を回転して、回転止バー８１が他の嵌合部９３に嵌合する。
【００７５】
本実施形態のマッサージ装置１によれば、先の第１実施形態による前記（１）〜（３）の効果に加えて、さらに以下に示す効果を奏することができる。
（９）本実施形態では、第２フレーム４０に対するマッサージ部６０の回転位置を第１回転状態での位置と第２回転状態での位置との間の特定回転位置に固定する角度固定装置７０が設けられている。
【００７６】
この構成によれば、角度固定装置７０によりマッサージ部を第２フレーム４０に対して特定回転位置に維持することができるため、使用者の脚に対するマッサージ部の押当て角度を変えてマッサージを行うことができる。
【００７７】
（１０）本実施形態では、回転体９０が回転しないように回転体９０の嵌合部９３に回転体固定装置８０の回転止バー８１が嵌合する。この嵌合による回転体９０の回転規制状態を解除するためには操作部８６の操作を必要とする構造となっているため、安全性を確保することができる。
【００７８】
（第３実施形態）
図１３を参照して、本発明の第３実施形態について説明する。
本実施形態のマッサージ装置１は、第１実施形態のフレーム回転装置３６に代えて、第２フレーム４０を第１フレーム３０に対して特定回転位置で維持する角度維持装置１００を備える。以下、この変更にともない生じる前記第１実施形態の構成からの詳細な変更について説明する。なお、第１実施形態と共通する構成については同一の符合を付してその説明を省略する。
【００７９】
角度維持装置１００は、ラチェット機構を有するラチェット本体部１０１と、同本体部１０１に設けられた第１アーム１０２と、第１アーム１０２に対して回転する第２アーム１０３とを含む。第１アーム１０２は第３掛部１０４に掛かる。第２アーム１０３は第４掛部１０５に掛かる。
【００８０】
ラチェット機構は、第１アーム１０２と第２アーム１０３との間の角度が最大角度以内にあるとき、両アーム１０２，１０３を閉じるように力を付与し、かつ第２アーム１０３が第１アーム１０２の方向に回転することを機械的に制限する。このため、第１アーム１０２と第２アーム１０３との間の角度が最大角度以内にある複数の特定角度から一つが選択されたとき、第１アーム１０２と第２アーム１０３との間の角度は、選択された特定角度に維持される。第１アーム１０２に対して第２アーム１０３を開くときは、第２アーム１０３に加わる力よりも大きな力を加えることにより、両アームの角度を大きくする。第１アーム１０２と第２アーム１０３との間の角度が最大角度を超えるとき、ラチェット機構は、第２アーム１０３が第１アーム１０２に向う方向に回転することを許容する。
【００８１】
第１アーム１０２と第２アーム１０３との間の角度が最大角度の１つ手前にある角度に維持される状態が、第１実施形態の開状態に対応する。第１アーム１０２と第２アーム１０３との間の角度が最小角度に維持される状態が、第１実施形態の閉状態に対応する。
【００８２】
次に、角度維持装置１００の動作について説明する。図１３は、装置本体１０に対して第１フレーム３０を所定角度に維持した状態で、第２フレーム４０を第１フレーム３０に対して回転した状態を示している。マッサージ部６０は第１回転状態と第２回転状態との間の状態とされている。
【００８３】
図１３（Ａ）は、第１フレーム３０に対して第２フレーム４０を所定角度にまで回転した状態を示している。図１３（Ｂ）は、同図（Ａ）に示す状態にあるときよりも第１フレーム３０と第２フレーム４０との間の角度を大きくした状態を示す。図１３（Ｃ）は、同図（Ｂ）のときよりも第１フレーム３０と第２フレーム４０との間の角度を大きくした状態を示す。いずれの状態も、第１フレーム３０に対する第２フレーム４０の角度がラチェット機構の最大角度の範囲内であるため、第１フレーム３０と第２フレーム４０との間の角度は特定角度で維持される。このように、角度維持装置１００により、第２フレーム４０が第１フレーム３０に対して特定角度に回転した状態すなわち所定回転位置に維持される。
【００８４】
本実施形態のマッサージ装置１によれば、先の第１実施形態による前記（１）〜（３）の効果に加えて、さらに以下に示す効果を奏することができる。
（１１）本実施形態では、第１フレーム３０に対する第２フレーム４０の回転位置を閉状態での位置と開状態での位置との間の所定回転位置に固定する角度維持装置１００が設けられている。
【００８５】
この構成によれば、角度維持装置１００により第２フレーム４０を第１フレーム３０に対して特定角度に維持することができるため、使用者の脚に対するマッサージ部６０の押当て角度を変えてマッサージを行うことができる。
【００８６】
（その他の実施形態）
本発明の実施態様は、上記各実施形態に例示した内容に限定されるものではなく、例えば以下のように変更することもできる。また、以下の各変形例は、上記実施形態についてのみ適用されるものでなく、異なる変形例同士を互いに組み合わせて実施することもできる。
【００８７】
・上記各実施形態では、フレーム回転装置３６はねじりばねにより構成しているが、ねじりばね以外の機構、例えば、つるまきばねにより、フレーム回転装置３６を構成することもできる。
【００８８】
・上記各実施形態では、マッサージ装置１の使用形態は３種類としているが、さらに別形態を付加してもよい。例えば、第１フレーム３０を水平状態とし、第２フレーム４０を閉状態とし、かつマッサージ部６０を第１回転状態に維持する使用形態を設けることができる。第１フレーム３０を水平状態に維持する手段として、例えば第１フレーム３０を支持する支持棒を設ける。
【００８９】
・上記各実施形態では、第１使用形態および第２使用形態の閉状態における第１フレーム３０と第２フレーム４０との間の角度を０°と設定しているが、当該角度を０°よりも大きい角度に設定してもよい。また当該角度を０°よりも小さい角度に設定してもよい。なお、この角度は、第１使用形態および第２使用形態において第１フレーム３０と第２フレーム４０とを閉状態としたとき、使用者が快適に感じる角度に基づいて設定される。
【００９０】
・上記各実施形態では、第３使用形態において、第１フレーム３０に対する第２フレーム４０の角度を９０°としているが、当該角度を９０°よりも大きい値にしてもよい。また当該角度を９０°よりも小さい値としてもよい。具体的には、フレーム回転装置３６の第１ばね３７の力を調整することにより、または、第２フレーム４０の回転を規制する規制装置を設けることにより、第２フレーム４０の開状態における角度を調整することができる。
【００９１】
・上記第２実施形態では、マッサージ部６０を特定回転位置で固定する角度固定装置７０を設けているが、角度固定装置７０に代えて、歯車機構によりマッサージ部６０を特定角度に維持する機構を採用することができる。
【００９２】
・上記第３実施形態では、第１フレーム３０と第２フレーム４０との間の角度を特定角度に固定する角度維持装置１００を設けている。一方、この角度維持装置１００に代えて、歯車機構により第１フレーム３０と第２フレーム４０との間の角度を維持する機構を採用することができる。
【符号の説明】
【００９３】
１…マッサージ装置、１０…装置本体、２０…オットマン、３０…第１フレーム、３１…第１支持アーム、３２…第２支持アーム、３６…フレーム回転装置、４０…第２フレーム、４１…第１プレート、４２…第２プレート、５０…規制装置、５１…回転体、５２…回転軸部、５３…フランジ部、５４…延長部、５４Ａ…第１接触部、５４Ｂ…第２接触部、５５…第１支持部、５６…第２支持部、５７…第２ばね、５８…規制部、６０…マッサージ部、７０…角度固定装置、８０…回転体固定装置、９０…回転体、１００…角度維持装置。
【図１】
0005399357.tif 000002
【図２】
0005399357.tif 000003
【図３】
0005399357.tif 000004
【図４】
0005399357.tif 000005
【図５】
0005399357.tif 000006
【図６】
0005399357.tif 000007
【図７】
0005399357.tif 000008
【図８】
0005399357.tif 000009
【図９】
0005399357.tif 000010
【図１０】
0005399357.tif 000011
【図１１】
0005399357.tif 000012
【図１２】
0005399357.tif 000013
【図１３】
0005399357.tif 000014